(57)【要約】      （修正有）【課題】タッチパネルの透光度を有効に高め、太陽電池によって低光度の室内環境下に於いても発電と蓄電の機能を実施し、電池交換永久不要と製造コストの節約を達成し、更に薄型化等の主な優位を達成するソーラータッチリモコン装置を提供する。【解決手段】蓋板１０、筐体２０、タッチパネル組部材３０、太陽電池４０及び電子制御モジュール５０を含み、該蓋板は透光基板であり、該筐体は該蓋板の一端部に対応して設置し、そのうち該蓋板と該筐体の間は納置空間を形成する。該タッチパネル組部材は透明プラスチック基板３１及び少なくとも一透明回路層３２を含み、該透明回路層は該透明プラスチック基板の下端部に設置し、該タッチパネル組部材は該蓋板貼着の下端部にする。該太陽電池は該蓋板に相対し該タッチパネル組部材の別一端部に設置する。該電子制御モジュールは該納置空間に設置し、該電子制御モジュールは制御組部材５１、蓄電ユニット５２、信号伝送ユニット５３及び回路板５４を含む。【選択図】図２
0003221240.tif 000002
【実用新案登録請求の範囲】
【請求項１】
ソーラータッチリモコン装置において、少なくとも
透光基板である蓋板と、
該蓋板の一端部に対応して設置し、そのうち該蓋板との間に納置空間を形成する筐体と、
透明プラスチック基板及び少なくとも一透明回路層を含み、該透明回路層は該透明プラスチック基板の下端部に設置し、該蓋板の下端部に貼着するタッチパネル組部材と、
該蓋板に相対し該タッチパネル組部材の別一端部に設置する太陽電池と、
該納置空間に設置し、制御組部材、蓄電ユニット、信号伝送ユニット及び回路板を含み、そのうち該制御組部材、該蓄電ユニットと該信号伝送ユニットは、それぞれ該回路板上に設置し、該回路板によって相互に電気接続し、該回路板は、それぞれ電気接続該タッチパネル組部材と該太陽電池を電気接続する電子制御モジュールを含むことを特徴とするソーラータッチリモコン装置。
【請求項２】
前記筐体はプラスチック基板であることを特徴とする請求項１記載のソーラータッチリモコン装置。
【請求項３】
前記太陽電池は、第一導電層、電子伝達層、主動層、正孔伝達層及び第二導電層の順に設置することを特徴とする請求項１記載のソーラータッチリモコン装置。
【請求項４】
前記筐体は、光を通す筐体もしくは光を通さない筐体のうちのどちらかひとつとすることを特徴とする請求項１記載のソーラータッチリモコン装置。
【請求項５】
前記透明プラスチック基板は、更に該透明回路層を電気接続する少なくとも一キーエリアを設置することを特徴とする請求項１記載のソーラータッチリモコン装置。
【請求項６】
前記制御組部材は、更に駆動ユニット、プロセシングユニット及びメモリユニットを含み、該プロセシングユニットはそれぞれ該駆動ユニット及び該メモリユニットと電気接続することを特徴とする請求項１記載のソーラータッチリモコン装置。
【請求項７】
前記蓄電ユニットはリチウム電池、もしくはスーパーキャパシタのうちのどちらかとすることを特徴とする請求項１記載のソーラータッチリモコン装置。
【考案の詳細な説明】
【技術分野】
【０００１】
本考案は、ソーラータッチリモコン装置に関するもので、特に太陽電池をタッチパネルに整合させたリモコン装置に係る。
【背景技術】
【０００２】
電子科学技術のイノベーション及び進歩に伴い、現在の各種消費性電子製品に於いて、リモコンを使用するヒューマンマシンインターフェースの遠隔制御行為は一般化している。リモコンのマルチコントロールと制御を容易にするため、更にタッチパネル(touch panel)をリモコンの入力インターフェースとする。
【０００３】
リモコンの電池使用に於ける持続力を伸ばすため、太陽電池をリモコンパネル上に貼り合わせることが進展している。例としてそれは太陽電池と制御パネルを重畳し、主にタッチエリア及びタッチエリアに隣接する非タッチエリアを含み、タッチエリア内には第一透明基板、光電子転換層、タッチ電極層及び第二透明基板を備える。光電子転換層は第一透明基板上に設置し、タッチ電極層は第二透明基板の一側に成形し、且つ光電子転換層と相対して貼り合わせる。本考案のタッチパネルの設計によって、光電子転換層の吸收光面積が有効に向上し、電流転換量を向上する効果を高める（例として特許文献１参照）。その他に、太陽電池とタッチパネルを別々に電子装置の異なるエリアに設置するものがある。そのタッチパネルは主に太陽電池エリア及びタッチエリアに分け、ガラス基板を含み、ガラス基板上には太陽電池エリアに対応して下から上向きに下透明電極層、高分子複合層、上電極層及びシーリング層を形成し、またタッチエリアに対応して下から上向きに複数の行、列の導電エリアを含む透明電極層、絶縁層、金属層及び保護層を成形する。これらによって、太陽電池エリアの下透明電極層及びタッチエリアの透明電極層は透明電極が完成し、上電極層と金属層は金属材で完成する。本考案は高分子太陽電池を単基板式タッチパネルに整合させる製造工程に於いて、高分子太陽電池を整合させるタッチパネルが製造される（例として特許文献２参照）。
【先行技術文献】
【特許文献】
【０００４】
【特許文献１】台湾  実用新案登録第Ｍ４４８７２３号「光電力転換を備えるタッチパネル」
【特許文献２】台湾  実用新案登録第Ｍ４０９４７７号「高分子太陽電池を整合させるタッチパネル」
【考案の概要】
【考案が解決しようとする課題】
【０００５】
解決しようとする問題点は、太陽電池構造造成タッチパネルの透明度が低下する問題を有効に解決することができず、且つ公知の構造は太陽電池の光起部材を接触感知電極層の間に設置するため製造過程の複雜度と製造コストが上がってしまう点である。そのため、如何にしてイノベーションのハード設計により、ソーラータッチリモコン装置の製造コストを有効に下げるかが、太陽電池もしくはタッチパネル関連産業の開発者及び関連研究員が努力して克服しなければならない問題である。
【課題を解決するための手段】
【０００６】
本考案は、太陽電池をタッチパネルに整合させるリモコン装置であり、蓋板、筐体、タッチパネル組部材、太陽電池と電子制御モジュールを含み、タッチパネルの透明導電層に依るハード設計であることを最も主要な特徴とする。
【考案の効果】
【０００７】
本考案のソーラータッチリモコン装置は、従来技術と比較して、主にタッチパネルの透明導電層に依るハード設計であり、タッチパネルの透光度を有効に高め、太陽電池によって低光度の室内環境下に於いても発電と蓄電の機能を実施し、確実にソーラータッチリモコン装置の薄型化と軽量化及び電池交換永久不要によって製造コストの節約を達成する。
【図面の簡単な説明】
【０００８】
【図１】本考案ソーラータッチリモコン装置実施例の装置構造ブロック図である。
【図２】本考案ソーラータッチリモコン装置実施例の装置全体の分解指示図である。
【図３】本考案ソーラータッチリモコン装置実施例の装置全体の外観指示図である。
【図４】本考案ソーラータッチリモコン装置実施例の装置全体の断面指示図である。
【図５】本考案ソーラータッチリモコン装置実施例のタッチパネル組部材設置の指示図である。
【図６】本考案ソーラータッチリモコン装置実施例の太陽電池の設置指示図である。
【図７】本考案ソーラータッチリモコン装置実施例の装置全体の運用指示図である。
【考案を実施するための形態】
【０００９】
本考案者は、これらの問題に鑑み、豊富な専門知識及び長年の実務経験を元に、ソーラータッチリモコン装置に改善を加えた。太陽電池をタッチパネルに整合させるリモコン装置を提供することを目的とする。それは主にタッチパネルの透明導電層に依るハード設計であり、タッチパネルの透光度を有効に高め、太陽電池によって低光度の室内環境下に於いても発電と蓄電の機能を実施し、電池の交換不要と製造コストの節約を達成し、更にソーラータッチリモコン装置は薄型化と軽量化を達成する。
【００１０】
少なくとも蓋板、筐体、タッチパネル組部材、太陽電池及び電子制御モジュールを含み、該蓋板は透光基板であり、該筐体は該蓋板の一端部に対応して設置し、そのうち該蓋板と該筐体の間は納置空間を形成する。該タッチパネル組部材は透明プラスチック基板及び少なくとも一透明回路層を含み、該透明回路層は該透明プラスチック基板の下端部に設置し、該タッチパネル組部材は該蓋板貼着の下端部にする。該太陽電池は該蓋板に相対し該タッチパネル組部材の別一端部に設置する。該電子制御モジュールは該納置空間に設置し、該電子制御モジュールは制御組部材、蓄電ユニット、信号伝送ユニット及び回路板を含む。そのうち該制御組部材、該蓄電ユニットと該信号伝送ユニットは、それぞれ該回路板上に設置し、該回路板によって相互に電気接続し、該回路板は該タッチパネル組部材と該太陽電池をそれぞれ電気接続するソーラータッチリモコン装置を提供することを本考案の主な目的とする。
【００１１】
本考案の一実施例に於いて、該筐体はプラスチック基板である。
【００１２】
本考案の一実施例に於いて、そのうち該太陽電池は第一導電層、電子伝達層、主動層、正孔伝達層及び第二導電層を設置する。
【００１３】
本考案の一実施例に於いて、該筐体は、光を通す筐体もしくは光を通さない筐体等のうちの一種形態とする。
【００１４】
本考案の一実施例に於いて、該筐体は一部透光のエリアを備える。
【００１５】
本考案の一実施例に於いて、該タッチパネル組部材は複数層の該透明回路層を含む。
【００１６】
本考案の一実施例に於いて、該透明プラスチック基板は、更に該透明回路層を電気接続する少なくとも一キーエリアを設置する。
【００１７】
本考案の一実施例に於いて、該制御組部材は、駆動ユニット、プロセシングユニット及びメモリユニットを含み、該プロセシングユニットは該駆動ユニット及び該メモリユニットとそれぞれ電気接続する。
【００１８】
本考案の一実施例に於いて、該蓄電ユニットはリチウム電池もしくはスーパーキャパシタ等のうちの一種装置とする。
【００１９】
これらに拠って、本考案のソーラータッチリモコン装置は主にタッチパネルの透明導電層に依るハード設計であり、タッチパネルの透光度を有効に高め、太陽電池によって低光度の室内環境下に於いても発電と蓄電の機能を実施し、確実にソーラータッチリモコン装置の薄型化と軽量化及び電池交換永久不要によって製造コストの節約を達成する。
【実施例】
【００２０】
本考案の技術特徴、内容と長所及びその達成効果を充分に説明するため、本考案の図式を提示し、実施例を挙げて以下のように説明する。そのうち使用する図式は、主旨を示し、説明の補助を目的としているだけのものであり、本考案実施後の実施例と配置とは限らず、故に図式の比例と配置関係は、本考案の請求範囲を制限するものではない。
【００２１】
先ず、図１から図４に示すのは、本考案のソーラータッチリモコン装置一実施例の装置構造ブロック図、装置全体の分解指示図、装置全体の外観指示図及び装置全体の断面指示図である。そのうち本考案のソーラータッチリモコン装置は、少なくとも蓋板１０、筐体２０、タッチパネル組部材３０、太陽電池４０及び電子制御モジュール５０を含む。
【００２２】
該蓋板１０は、透光性を備える基板であり、その構成材は例として限定しないがガラス、ポリカーボネート(Polycarbonate、PC)、もしくはポリメチルメタクリレート(Poly(methyl methacrylate)、PMMA)等のうちの一種材であり、透光材で製造された該蓋板１０は外界の光線を該蓋板１０下方へ送る。
【００２３】
プラスチック材で製造された該筐体２０は該蓋板１０の下端部に対応して設置し、該蓋板１０との間で物を置くことができる納置空間(図番号未提示)を形成する。そのうち該筐体２０は一部透光エリア(図未提示)を備え、後から設置する該太陽電池４０が該透光エリアから外界の光線を採取して使用する。その他、該筐体２０は完全不透光の形態でもよく、該太陽電池４０は上方の透光性を備えた該蓋板１０から採光する。
【００２４】
該タッチパネル組部材３０は、透明プラスチック基板３１と透明回路層３２が組み合わさって構成する。該透明回路層３２は該透明プラスチック基板３１の下端部に設置し、そのうち該タッチパネル組部材３０は該蓋板１０の下端部に貼着し、主に該蓋板１０の下端部を該タッチパネル組部材３０の該透明プラスチック基板３１表面に貼着する。該太陽電池４０は、該蓋板１０に相対し該タッチパネル組部材３０の別一端部に設置する。そのうち透明形態の該タッチパネル組部材３０は、外界の光線を通すためであり下方の該太陽電池４０に吸收させる。そのうち該太陽電池４０は透明の光学ゴム(図未提示)と該タッチパネル組部材３０を貼着してもよい。図５に示すのは、本考案のソーラータッチリモコン装置一実施例のタッチパネル組部材設置指示図であり、そのうち該タッチパネル組部材３０はスマートフォンもしくはタッチリモコンもしくはタブレット端末の形態でもよい。そのうち該透明プラスチック基板３１上には少なくとも一電気接続該透明回路層３２のキーエリア３１１が表示され、ユーザーが制御するのに用いる。該ユーザーが該蓋板１０を押圧して該キーエリア３１１をタッチした時、該透明回路層３２は該ユーザーが押圧した該キーエリア３１１信号をキャパシタ、インピーダンスもしくは圧力信号に転換し、該電子制御モジュール５０へ伝送する。その他、該透明回路層３２は複数層の透明回路層３２を含み、該太陽電池４０は該蓋板１０に相対し該タッチパネル組部材３０の下端部に設置する。全体構造としてタッチパネルの透光度を有効に高め、該太陽電池４０によって低光照等の室内環境下に於いて発電と蓄電の効果を実行し、且つソーラータッチリモコン装置の薄型化と軽量化及び電池交換永久不要によって製造コストの節約を達成する。
【００２５】
次に図６に示すのは、本考案のソーラータッチリモコン装置一実施例の太陽電池設置指示図である。そのうち該太陽電池４０は該蓋板１０に相対し該タッチパネル組部材３０の別一側に設置し、それは第一導電層４１、電子伝達層４２、主動層４３、正孔伝達層４４及び第二導電層４５の順に設置するか、もしくは該太陽電池４０は該タッチパネル組部材３０の別一側に設置し第一導電層４１、正孔伝達層４４、主動層４３、電子伝達層４２、及び第二導電層４５の順に設置する。そのうち該電子伝達層４２は電子の注入と伝導を助ける材料(例としてZnO、TiO2等)を採用し、且つコーティング(coating)及びドライもしくは蒸着メッキ方式で成形する。該主動層４３は電子正孔に新たに結合する材料を採用し、更にコーティング及びドライ方式で該電子伝達層４２に成形する。該正孔伝達層４４は正孔注入と伝送を助ける材料(例としてPEDOT、MnO3、V2O5等)を採用し、コーティング及びドライもしくは蒸着メッキ方式で該主動層４３に成形する。その他、該電子伝達層４２、該主動層４３と該正孔伝達層４４の厚みは10μmより小さく、該第一導電層４１と該第二導電層４５は信号を伝送もしくは受信するのに用い、更に該太陽電池４０の薄型化と軽量化を達成する。
【００２６】
該電子制御モジュール５０は該納置空間内部に設置し、該電子制御モジュール５０は制御組部材５１、蓄電ユニット５２、信号伝送ユニット５３と回路板５４が組み合わさって構成する。そのうち該制御組部材５１、該蓄電ユニット５２と該信号伝送ユニット５３は、それぞれ該回路板５４上に設置し、該回路板５４によって相互に電気接続する。そのうち該制御組部材５１は該回路板５４によって、それぞれ該タッチパネル組部材３０、該太陽電池４０と電気接続する。その他、該制御組部材５１は更に駆動ユニット５１１、プロセシングユニット５１２及びメモリユニット５１３から構成する。該プロセシングユニット５１２は、それぞれ該駆動ユニット５１１及び該メモリユニット５１３と電気接続する。
【００２７】
図７に示すのは、本考案のソーラータッチリモコン装置実施例の装置全体の運用指示図である。そのうち該ユーザーが該蓋板１０を押圧し、該透明プラスチック基板３１上の該キーエリア３１１をタッチした時、該透明回路層３２は該ユーザーが押圧した該キーエリア３１１の信号をキャパシタ信号に転換し、該電子制御モジュール５０へ伝送する。該駆動ユニット５１１は該プロセシングユニット５１２を駆動して変換動作の司令を実施し、変換の結果を該メモリユニット５１３中に一時保存する。最後に該信号伝送ユニット５３から赤外線、ブルーツゥース通信プロトコルもしくは無線電波通訊等のうちの一種の通信プロトコルで変換の結果を発射するか、もしくは外界の関連信号を対応受信する。この他、リチウム電池形態の該蓄電ユニット５２は該太陽電池４０から発した電気エネルギーを保存するのに用い、本考案のソーラータッチリモコン装置で使用する。しかしながら、注意するべきことは、該信号伝送ユニット５３の伝送信号が使用した通信プロトコルの種類、もしくは該蓄電ユニット５２の蓄電の種類は説明がしやすい点からの見地に依るもので本考案が挙げた例に制限されず、且つ当領域の習熟者が知るところの異なる該信号伝送ユニット５３の進行伝送種類と該蓄電ユニット５２の蓄電種類は、すべて本考案の信号伝送と受信の媒体形式と該太陽電池４０が発した電気エネルギー保存であり、本考案の実際実施に影響しない。
【００２８】
上述のとおり、本考案のソーラータッチリモコン装置は、上述に挙げた実施例によって、予定の使用効果を達成し、且つ本考案は申請前、未見であり、実用新案法の規定と要求に完全に符合することから、実用新案登録を申請する。
【００２９】
但し、上述の図示及び説明は、本考案の良好な実施例であり、本考案の請求範囲を制限するものではない。依って、当領域に習熟した者が本考案の特徴範囲に基づいて実施する同効果の変化及び修飾はすべて本考案の請求範囲に含むものとする。
【符号の説明】
【００３０】
１０        蓋板
２０        筐体
３０        タッチパネル組部材
３１        透明プラスチック基板
３１１        キーエリア
３２        透明回路層
４０        太陽電池
４１        第一導電層
４２        電子伝達層
４３        主動層
４４        正孔伝達層
４５        第二導電層
５０        電子制御モジュール
５１        制御組部材
５１１        駆動ユニット
５１２        プロセシングユニット
５１３        メモリユニット
５２        蓄電ユニット
５３        信号伝送ユニット
５４        回路板
【図１】
0003221240.tif 000003
【図２】
0003221240.tif 000004
【図３】
0003221240.tif 000005
【図４】
0003221240.tif 000006
【図５】
0003221240.tif 000007
【図６】
0003221240.tif 000008
【図７】
0003221240.tif 000009